(57)【要約】  【課題】  アイロンがけやスチームプレス等の熱処理を行わなくても、風合いを損なうことなく、繊維製品のしわを除去することのできる、しわ除去組成物の提供。  【解決手段】  特定の一般式（１）又は一般式（２）又は（３）で表されるアルキレンオキサイド付加物（ａ）を含有するしわ除去組成物、並びにこのしわ除去組成物を繊維製品に付与する、繊維製品のしわ除去方法。【選択図】  なし【特許請求の範囲】
【請求項１】
下記一般式（１）又は（２）又は（３）で表される化合物（ａ）を含有するしわ除去組成物。
【化１】
2006104648.tif 000007
〔式中、Ｒは炭素数１０〜２２の炭化水素基であり、ＥＯはＣ2Ｈ4Ｏを示し、ＰＯはＣ3Ｈ6Ｏを示し、ｍ及びｎはそれぞれ平均付加モル数を示し、ｍは３〜１００、ｎは１〜１０の数であり、(ＰＯ)と(ＥＯ)は、ランダム付加でもブロック付加でもよく、(ＰＯ)と(ＥＯ)の付加順序は問わない。ｍ１及びｍ２は平均付加モル数を示し、ｍ１とｍ２の合計が３〜１００のになる数であり、ｎ１及びｎ２は平均付加モル数を示し、ｎ１とｎ２の合計が１〜１０になる数であり、(ＰＯ)と(ＥＯ)は、ランダム付加でもブロック付加でもよく、(ＰＯ)と(ＥＯ)の付加順序は問わない。Ｙは
【化２】
2006104648.tif 000008
のいずれかであり、Ｒ’は水素原子又は炭素数１〜３の炭化水素基である。〕
【請求項２】
化合物（ａ）が、一般式（１）及び（２）中のＲが炭素数１２〜１８のアルキル基、ｍ又はｍ１＋ｍ２が３〜６０の数、ｎ又はｎ１＋ｎ２が１〜８の数の化合物である請求項１記載のしわ除去組成物。
【請求項３】
化合物（ａ）が、一般式（１）及び（２）中のＲが炭素数１６〜１８のアルキル基、ｍ又はｍ１＋ｍ２が３〜６０の数、ｎ又はｎ１＋ｎ２が１〜３の数である請求項１記載のしわ除去組成物。
【請求項４】
化合物（ａ）が、一般式（１）及び（２）中のモル比ｍ／ｎ又は（ｍ１＋ｍ２）／（ｎ１＋ｎ２）が４〜１２である化合物である請求項１〜３の何れか１項記載のしわ除去組成物。
【請求項５】
化合物（ａ）を０．１〜５重量％含有する請求項１〜４の何れか１項記載のしわ除去組成物。
【請求項６】
油性化合物（ｂ）を含有する請求項１〜５の何れか１項記載ののしわ除去組成物。
【請求項７】
油性化合物（ｂ）が、下記（ｂ１）〜（ｂ７）から選ばれる少なくとも１種の油性化合物である請求項６記載のしわ除去組成物。
（ｂ１）平均分子量１００〜５００の飽和又は不飽和の直鎖もしくは分岐鎖炭化水素
（ｂ２）平均分子量１００〜３００の１級又は２級アルコール
（ｂ３）下記式（Ｉ）又は(II)で表されるエステル化合物又はエーテル化合物
【化３】
2006104648.tif 000009
（式中、Ｒ1は炭素数８〜２０の飽和又は不飽和の直鎖もしくは分岐鎖の１価炭化水素基、Ｒ2は炭素数１〜２０の飽和又は不飽和の直鎖もしくは分岐鎖の１価炭化水素基、Ｒ3及びＲ4は、それぞれ独立に炭素数４〜１８の飽和又は不飽和の直鎖もしくは分岐鎖の１価炭化水素基を示す。）
（ｂ４）平均分子量１００〜５００の脂肪酸
（ｂ５）炭素数１２〜２４の脂肪酸のトリ、ジ又はモノグリセライド
（ｂ６）スクアラン
（ｂ７）コレステロール
【請求項８】
乳化剤（ｃ）及び水を含有する請求項１〜７の何れか１項記載のしわ除去組成物。
【請求項９】
乳化剤（ｃ）が、ＨＬＢ（グリフィン法）が４．０〜１５．０の非イオン界面活性剤、炭素数１０〜１６の１価炭化水素基を１〜３個有する陽イオン界面活性剤、炭素数６〜１４の１価炭化水素基を有する陰イオン界面活性剤から選ばれる少なくとも１種である請求項８記載のしわ除去組成物。
【請求項１０】
更に、シリコーン化合物（ｄ）を含有する請求項１〜９の何れか１項記載のしわ除去組成物。
【請求項１１】
請求項１〜１０の何れか１項記載のしわ除去組成物を、繊維製品に付与する、繊維製品のしわ除去方法。
【請求項１２】
熱処理を行わない請求項１１記載のしわ除去方法。
【請求項１３】
請求項１〜１０の何れか１項記載の組成物を繊維製品のしわ除去に用いる用途。
【請求項１４】
化合物（ａ）が、一般式（１’）で表される化合物である請求項１記載のしわ除去組成物。
Ｒ−Ｏ−(ＰＯ)m−(ＥＯ)n−Ｈ    （１’）
〔式中、Ｒは炭素数１０〜２２の炭化水素基であり、ＥＯはＣ2Ｈ4Ｏを示し、ＰＯはＣ3Ｈ6Ｏを示し、ｍ及びｎはそれぞれ平均付加モル数を示し、ｍは３〜１００、ｎは１〜１０の数であり、(ＰＯ)と(ＥＯ)は、ランダム付加でもブロック付加でもよく、(ＰＯ)と(ＥＯ)の付加順序は問わない。〕
【発明の詳細な説明】
【技術分野】
【０００１】
本発明は、繊維製品のしわを除去することができ、特にアイロン等の熱処理を行わなくても、風合いを損なうことなく効果的にしわを除去することができる、しわ除去組成物及びしわ除去方法に関する。
【背景技術】
【０００２】
一般にスーツ等のドライクリーニング衣類は家庭での水洗いが困難であり、それらのしわ取り方法については、一般にアイロンがけやスチームプレス等の熱処理を行う方法がある。熱処理を行わずに衣類のしわを伸ばす手段として、特許文献１にヘキシレングリコールやイソプレングリコール等の特定の水溶性溶剤と水を組み合わせた組成物を衣類のしわ部にスプレーした後、放置するだけでしわ部を取り除く方法が開示されている。しかし、この方法では衣類についた軽いしわは取り除けるが、深いしわを完全に除去するのは困難である。また、特許文献２〜５には、布帛のしわ取り剤組成物及び方法が開示されている。これらの方法は、組成物を布帛にスプレー噴霧した後で吊り下げて自然乾燥するか、アイロン掛けを行うことでしわを除去しているが、自然乾燥だけでは十分にしわを除去することができず、またアイロン掛けはしわ取りには非常に効果的であるが、手間がかかる作業である上、風合い回復の上では不十分である。
【特許文献１】特開平１０−２５６６０号公報
【特許文献２】特表平１０−５０８９１１号公報
【特許文献３】国際公開第９９／５５９５２号パンフレット
【特許文献４】国際公開第９９／５５９５３号パンフレット
【特許文献５】特開平１−６１７４号公報
【発明の開示】
【発明が解決しようとする課題】
【０００３】
本発明は、アイロンがけやスチームプレス等の熱処理を行わなくても、風合いを損なうことなく繊維製品のしわを十分に除去することができる、しわ除去組成物及びしわ除去方法を提供することにある。
【課題を解決するための手段】
【０００４】
本発明は、下記一般式（１）又は（２）又は（３）で表される化合物（ａ）を含有するしわ除去組成物を提供する。
【０００５】
【化４】
2006104648.tif 000002
【０００６】
〔式中、Ｒは炭素数１０〜２２の炭化水素基であり、ＥＯはＣ2Ｈ4Ｏを示し、ＰＯはＣ3Ｈ6Ｏを示し、ｍ及びｎはそれぞれ平均付加モル数を示し、ｍは３〜１００、ｎは１〜１０の数であり、(ＰＯ)と(ＥＯ)は、ランダム付加でもブロック付加でもよく、(ＰＯ)と(ＥＯ)の付加順序は問わない。ｍ１及びｍ２は平均付加モル数を示し、ｍ１とｍ２の合計が３〜１００のになる数であり、ｎ１及びｎ２は平均付加モル数を示し、ｎ１とｎ２の合計が１〜１０になる数であり、(ＰＯ)と(ＥＯ)は、ランダム付加でもブロック付加でもよく、(ＰＯ)と(ＥＯ)の付加順序は問わない。Ｙは
【０００７】
【化５】
2006104648.tif 000003
【０００８】
のいずれかであり、Ｒ’は水素原子又は炭素数１〜３の炭化水素基である。〕
【０００９】
また、本発明は、上記しわ除去組成物を繊維製品に付与する繊維製品のしわ除去方法又は上記組成物を繊維製品のしわ除去に用いる用途に関する。
【発明の効果】
【００１０】
本発明のしわ除去組成物は、繊維製品にスプレーするだけで繊維製品のしわを効果的に除去することができ、特にアイロンがけやスチームプレス等の熱処理を行わなくても、風合いを損なうことなく、繊維製品のしわを効果的に除去することができる。また、本発明に係る（ａ）成分は、両新媒性であるため、処理後の繊維製品を着用、使用した後、洗濯する場合も、通常の水性媒体を用いる洗濯でも、あるいは有機溶剤を用いるドライクリーニングでも、容易に除去できる。
【発明を実施するための最良の形態】
【００１１】
＜（ａ）成分＞
（ａ）成分の一般式（１）又は（２）又は（３）中、Ｒは炭素数１０〜２２の炭化水素基であり、好ましくは炭素数１２〜１８のアルキル基又は炭素数１２〜１８のアルケニル基である。炭素数１６〜１８のアルキル基がさらに好ましい。
【００１２】
また、プロピレンオキシド（Ｃ3Ｈ6Ｏ基、以下、ＰＯと表記する場合もある）の平均付加モル数であるｍ又はｍ１＋ｍ２は、３〜１００の数であり、好ましくは３〜６０、より好ましくは１０〜６０の数である。ｍ１、ｍ２は、それぞれ０を超える数である。
【００１３】
また、エチレンオキシド（Ｃ2Ｈ4Ｏ基、以下、ＥＯと表記する場合もある）の平均付加モル数であるｎ又はｎ１＋ｎ２は、１〜１０の数であり、好ましくは１〜８、より好ましくは１〜３の数である。ｎ１、ｎ２は、それぞれ０を超える数である。
【００１４】
また、一般式（１）又は（２）又は（３）中のＰＯとＥＯのモル比ｍ／ｎ又は（ｍ１＋ｍ２）／（ｎ１＋ｎ２）は、４〜１２、更に６〜１０が好ましい。
【００１５】
上記化合物（ａ）は一般式（１’）で表される化合物も好ましく含む。
Ｒ−Ｏ−(ＰＯ)m−(ＥＯ)n−Ｈ    （１’）
式（１’）中、Ｒは炭素数１０〜２２の炭化水素基であり、ＥＯはＣ2Ｈ4Ｏを示し、ＰＯはＣ3Ｈ6Ｏを示し、ｍ及びｎはそれぞれ平均付加モル数を示し、ｍは３〜１００、ｎは１〜１０の数であり、(ＰＯ)と(ＥＯ)は、ランダム付加でもブロック付加でもよく、(ＰＯ)と(ＥＯ)の付加順序は問わない。また、ｍは１０〜１００、ｎは３〜１０の数であることが好ましい。ＰＯ、ＥＯの平均付加モル数はＮＭＲにより求めることができる。
【００１６】
本発明の（ａ）成分は、ＲＯＨ又は以下
【００１７】
【化６】
2006104648.tif 000004
【００１８】
のいずれかで表される化合物（Ｒ、Ｒ’は前記の通り、Ｒ''は炭素数２〜３の２価の炭化水素基）に、定法により、ＰＯ、ＥＯを付加することにより得られる。
【００１９】
本発明では特定範囲の平均付加モル数でＰＯ、ＥＯが付加した化合物を使用することにより、風合いを損なわずに、優れたしわ除去効果を得ることができる。
【００２０】
(ＰＯ)と(ＥＯ)は、ランダム付加でもブロック付加でもよく、(ＰＯ)と(ＥＯ)の付加順序は問わない。(ＰＯ)、(ＥＯ)及び(ＰＯ)の順も含む。
【００２１】
＜（ｂ）成分＞
本発明のしわ除去組成物は、油性化合物（ｂ）〔以下、（ｂ）成分という〕を含有することが、しわ除去効果をより高めるために好ましい。（ｂ）成分は、下記（ｂ１）〜（ｂ７）から選ばれる少なくとも１種の油性化合物であることが好ましい。
【００２２】
（ｂ１）平均分子量１００〜５００の飽和又は不飽和の直鎖もしくは分岐鎖炭化水素
（ｂ２）平均分子量１００〜３００の１級又は２級アルコール
（ｂ３）下記式（Ｉ）又は(II)で表されるエステル化合物又はエーテル化合物
【００２３】
【化７】
2006104648.tif 000005
【００２４】
（式中、Ｒ1は炭素数８〜２０の飽和又は不飽和の直鎖もしくは分岐鎖の１価炭化水素基、Ｒ2は炭素数１〜２０の飽和又は不飽和の直鎖もしくは分岐鎖の１価炭化水素基、Ｒ3及びＲ4は、それぞれ独立に炭素数４〜１８の飽和又は不飽和の直鎖もしくは分岐鎖の１価炭化水素基を示す。）
（ｂ４）平均分子量１００〜５００の脂肪酸
（ｂ５）炭素数１２〜２４の脂肪酸のトリ、ジ又はモノグリセライド
（ｂ６）スクアラン
（ｂ７）コレステロール
【００２５】
（ｂ１）の炭化水素は、平均分子量１００〜５００の飽和又は不飽和の直鎖もしくは分岐鎖炭化水素であり、例えば石油から分離精製されるパラフィン系化合物を主成分とする留分、流動パラフィン等のパラフィン系オイル等が挙げられる。これらの中では平均分子量２００〜４００の流動パラフィンが好ましい。
【００２６】
（ｂ２）の平均分子量１００〜３００の１級又は２級アルコールとしては、炭素数８〜２０の１級又は２級アルコールが挙げられ、炭素数１４〜２０のアルコールが好ましい。
【００２７】
（ｂ３）の上記式（Ｉ）又は(II)で表されるエステル化合物又はエーテル化合物としては、Ｒ1が炭素数８〜２０のアルキル基又はアルケニル基で、Ｒ2が炭素数１〜２０のアルキル基であるエステル化合物、Ｒ3及びＲ4が炭素数４〜１０のアルキル基であるエーテル化合物が好ましい。
【００２８】
（ｂ４）の平均分子量１００〜５００の脂肪酸としては、飽和又は不飽和の直鎖もしくは分岐鎖を有する脂肪酸のいずれでも良い。具体的には、炭素数６〜２０の脂肪酸が挙げられ、ヘキサン酸、オクタン酸、デカン酸が好ましい。
【００２９】
（ｂ５）の炭素数１２〜２４の脂肪酸のトリ、ジ又はモノグリセライドとしては、トリ、ジ又はモノミリスチン、トリ、ジ又はモノステアリン、トリ、ジ又はモノオレイン、トリ、ジ又はモノエルシン等が挙げられ、トリ、ジ又はモノミリスチン、トリ、ジ又はモノステアリン等の飽和脂肪酸のグリセライドが好ましく、トリミリスチン、トリステアリン等のトリグリセライドが更に好ましい。
【００３０】
これらの（ｂ）成分の中では、（ｂ１）〜（ｂ３）成分から選ばれる少なくとも１種が好ましく、（ｂ１）及び（ｂ２）成分が好ましく、（ｂ１）成分が更に好ましく、平均分子量２００〜４００の流動パラフィンが特に好ましい。
【００３１】
＜（ｃ）成分＞
本発明のしわ除去組成物は、乳化剤（ｃ）〔以下、（ａ）成分という〕及び水を含有することが好ましい。
【００３２】
（ｃ）成分の乳化剤としては、ポリオキシアルキレンアルキル又はアルケニルエーテル、ポリオキシアルキレンアルキルフェニルエーテル、脂肪酸アルカノールアミド又はそのアルキレンオキサイド付加物、ショ糖脂肪酸エステル、アルキルグルコシド等の非イオン界面活性剤；モノ長鎖アルキル４級アンモニウム塩、ジ長鎖アルキル４級アンモニウム塩、トリ長鎖アルキル４級アンモニウム塩等の陽イオン界面活性剤；アルキルベンゼンスルホン酸又はその塩、アルキル硫酸エステル塩、ポリオキシアルキレンアルキルエーテル硫酸エステル塩、オレフインスルホン酸塩、アルカンスルホン酸塩、脂防酸塩等の陰イオン界面活性剤；アミンオキサイド、スルホベタイン、カルボベタイン等の両性界面活性剤が挙げられ、ＨＬＢ（グリフィン法、以下同じ）が４．０〜１５．０の非イオン界面活性剤、炭素数１０〜１６の１価炭化水素基を１〜３個有する陽イオン界面活性剤、炭素数６〜１４の１価炭化水素基を有する陰イオン界面活性剤から選ばれる少なくとも１種が好ましい。
【００３３】
本発明で特に好ましい乳化剤は、一般式(III)で表される非イオン界面活性剤である。
【００３４】
Ｒ5−Ｏ−(Ｒ6Ｏ)p−Ｈ    (III)
〔式中、Ｒ5は、炭素数８〜２２、好ましくは１０〜２０の直鎖又は分岐鎖のアルキル基あるいはアルケニル基であり、Ｒ6は炭素数２のアルキレン基、即ちエチレン基である。また、ｐは平均付加モル数を示す０．５〜３０、好ましくは２〜２０、特に好ましくは４〜１０の数である。〕
【００３５】
一般式(III)で表される化合物としては、例えば式(IV)で表される化合物が挙げられる。
【００３６】
Ｒ7−Ｏ−(Ｃ2Ｈ4Ｏ)r−Ｈ    (IV)
〔式中、Ｒ7は炭素数１０〜１８の直鎖又は分岐鎖のアルキル基であり、ｒは平均付加モル数を示す１〜１０、好ましくは３〜８の数である。〕
【００３７】
＜（ｄ）成分＞
本発明のしわ除去組成物は、シリコーン化合物（ｄ）〔以下、（ｄ）成分という〕を含有することが好ましい。
【００３８】
（ｄ）成分のシリコーン化合物としては、特に繊維の潤滑剤として用いることができるものが好ましい。具体的には、ジメチルポリシロキサン（以下、ジメチルシリコーンという）、又はジメチルシリコーンの側鎖もしくは末端のメチル基の一部がヒドロキシ基になっているオルガノポリシロキサン（以下、ヒドロキシシリコーンという）、前記ジメチルシリコーン又はヒドロキシシリコーンのメチル基（好ましくは側鎖のメチル基）の一部がメチル基以外の有機基になっているオルガノポリシロキサン（以下、変性シリコーンという）、ジメチルシロキサン鎖の中に有機基が導入されており末端がメチル基以外の有機基になっているオルガノポリシロキサン（以下、末端変性シリコーンという）等が挙げられる。
【００３９】
変性シリコーンのメチル基以外の有機基としては、アミノ基を含む有機基、４級アンモニウム基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基、ポリ（Ｎ−アシルアルキレンイミン）鎖を含む有機基等が挙げられる。
【００４０】
これらのシリコーン化合物の中では、シリコーンオイルと呼ばれる０〜４０℃の温度で液状のシリコーン化合物が好ましい。
【００４１】
［しわ除去組成物］
本発明のしわ除去組成物は、上記（ａ）成分に、更に必要により（ｂ）成分、（ｃ）成分、（ｄ）成分、及び水を含有する組成物であり、Ｏ／Ｗエマルジョン型の組成物とすることができる。Ｏ／Ｗエマルジョンとする場合の乳化液滴の平均粒径は、繊維に（ａ）成分をできるだけ少量で均一に塗布することで、水分の蒸散速度を低減させて、しわを抑制し、且つ油剤による染みを抑制する観点から、０．１〜１０μｍ、更に０．１〜３μｍが好ましい。
【００４２】
尚、本発明の乳化液滴の平均粒径は、動的光散乱計（大塚電子製、ELS-800）を用いて測定することができる。
【００４３】
本発明のしわ除去組成物中の（ａ）成分の含有量は、しわ除去効果と配合組成物の溶液安定性の観点から、０．１〜５重量％が好ましく、０．２〜４重量％が更に好ましく、０．２〜２重量％が特に好ましい。
【００４４】
また、本発明のしわ除去組成物中の（ｂ）成分の含有量は、水分の蒸散速度を低減し、乾燥速度を低下させ、しわ発生を抑制させる観点から、０．０１〜１０重量％が好ましく、０．０５〜２．０重量％が更に好ましく、０．０１〜０．５重量％が特に好ましい。（ｃ）成分の含有量は、（ａ）成分、更には（ｂ）成分を効率的に乳化させる観点から、０．０１〜２０重量％が好ましく、０．１〜１０重量％が更に好ましく、０．２〜１．０重量％が特に好ましい。
【００４５】
本発明の組成物は、衣類が乾燥した状態での繊維同士の滑り性を向上させるために、（ｄ）成分を含有することが好ましく、（ｄ）成分の含有量は、０．０２〜３．０重量％が好ましく、０．１〜０．５重量％が更に好ましい。
【００４６】
本発明のしわ除去組成物は、上記（ａ）成分、更に（ｂ）〜（ｄ）成分以外に、香料、殺菌剤、防腐剤等を配合することができる。
【００４７】
本発明の組成物を、Ｏ／Ｗエマルジョン型しわ除去組成物とする場合の製造法は特に限定されないが、例えば、上記各成分を水と混合し、乳化液滴の平均粒径が０．１〜１０μｍとなるように、ホモミキサー等で撹拌することにより得られる。
【００４８】
［しわ除去方法］
本発明のしわ除去方法は、上記のような本発明のしわ除去組成物を、繊維製品に付与することにより、繊維製品のしわを除去する方法であり、アイロンがけやスチームプレス等の熱処理を行わなくてもしわを除去することができる。また、必要により熱処理を行ってもよい。
【００４９】
本発明のしわ除去組成物を繊維製品に付与する方法としては、スプレー法が好ましく、噴霧装置を具備する容器に本発明のしわ除去組成物を充填し、繊維製品にスプレーすることが好ましい。噴霧装置としてはトリガー式が好ましく、特に実開平４−３７５５４号公報の第１図に示されているような液垂れや噴霧の均一性に優れる蓄圧式トリガーを用いることが良好である。
【実施例】
【００５０】
実施例１〜１８及び比較例１〜８
下記成分を表１に示す割合で用い、（ａ）成分及び（ｂ）成分に（ｃ）成分を混合し、そこに（ｂ）成分と等重量の水を混合し、ホモミキサーを用いて４０００ｒｐｍで１０分間攪拌した。攪拌後、残りの成分や水を加えて３０００ｒｐｍで１０分間攪拌してしわ除去組成物とした。得られた組成物について、下記方法でしわ取り性を評価した。評価結果を表１に示す。
【００５１】
＜配合成分＞
（ａ−１）：一般式（１）中のＲが炭素数１８の直鎖アルキル基、ｍが３８、ｎが６であり、アルキル基の炭素数、PO, EO の付加モル数で表すと、C18(PO)38(EO)6で表される化合物
（ａ−２）：一般式（１）中のＲが炭素数１６の直鎖アルキル基、ｍが１５、ｎが３でC16(PO)15(EO)3で表される化合物
（ａ−３）：一般式（１）中のＲが炭素数１２の直鎖アルキル基、ｍが２５、ｎが３でC12(PO)25(EO)3で表される化合物
（ａ−４）：一般式（１）中のＲが炭素数１８の直鎖アルキル基、ｍが３８、ｎが６でC18 (EO)6(PO)38で表される化合物
（ａ−５）：一般式（１）中のＲが炭素数１８の直鎖アルキル基、ｍが２０、ｎが５でC18 (PO)10(EO)5(PO)10で表される化合物
（ａ−６）：一般式（１）中のＲが炭素数１８の直鎖アルキル基、ｍが３０、ｎが５でC18 (PO)10(EO)5(PO)20で表される化合物
（ａ−７）：一般式（１）中のＲが炭素数１８の直鎖アルキル基、ｍが５５、ｎが２でC18 (EO)2(PO)55で表される化合物
（ａ−８）：一般式（１）中のＲが炭素数１８の直鎖アルキル基、ｍが３、ｎが１でC18 (EO)1(PO)3で表される化合物
（ａ−９）：一般式（１）中のＲが炭素数１８の直鎖アルキル基、ｍが３、ｎが３でC18 (EO)3(PO)3で表される化合物
（ａ−１０）：一般式（１）中のＲが炭素数１８の直鎖アルキル基、ｍが１０、ｎが５でC18 (PO)10(EO)5で表される化合物
（ａ−１１）：一般式（１）中のＲが炭素数１８の直鎖アルキル基、ｍが１５、ｎが５でC18 (PO)10(EO)5(PO)5で表される化合物
（ａ−１２）：一般式（１）中のＲが炭素数２０の直鎖アルキル基、ｍが１５、ｎが７でC20 (EO)7(PO)15で表される化合物
（ａ’−１）：一般式（１）中のＲが炭素数１２の直鎖アルキル基、ｍが１２、ｎが１２でC12 (PO)12(EO)12で表される化合物
（ａ’−２）：一般式（１）中のＲが炭素数１２の直鎖アルキル基、ｍが０、ｎが８でC12 (EO)8で表される化合物
（ａ’−３）：一般式（１）中のＲが炭素数１８の直鎖アルキル基、ｍが０、ｎが３０でC18 (EO)30で表される化合物
（ａ’−４）：一般式（１）中のＲが炭素数１８の直鎖アルキル基、ｍが２０、ｎが２０でC18 (EO)20(PO)20で表される化合物
（ａ’−５）：一般式（１）中のＲが炭素数１８の直鎖アルキル基、ｍが１８、ｎが３２でC18 (EO)3(PO)3(EO)29(PO)15で表される化合物
（ａ’−６）：一般式（１）中のＲが炭素数１８の直鎖アルキル基、ｍが２３、ｎが３０でC18 (EO)6(PO)3(EO)24(PO)20で表される化合物
（ｂ−１）：流動パラフィン（モレスコホワイトＰ−５５、松村石油（株）製、平均分子量２９６）
（ｂ−２）：セチルアルコール、試薬（和光純薬（株）製）
（ｃ−１）：炭素数１０〜１４の直鎖第１級アルコールにＥＯを平均５モル付加した非イオン界面活性剤（ＨＬＢ１０．８）
（ｄ−１）シリコーン化合物（１）：ＬＥ−４６３（日本ユニカー（株）製、ジメチルポリシロキサンの乳化物）
（ｄ−２）シリコーン化合物（２）：ＡＢＮ ＳＩＬＷＥＴ ＦＺ−２２０３（日本ユニカー（株）製、ジメチルポリシロキサンとポリアルキレンオキサイドの共重合体）
【００５２】
＜しわ取り性の評価法＞
（１）スプレーしわ取り性の評価
木綿ブロード＃６０（染色試材、（株）谷頭商店）及びウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りを載せ、２４時間放置することによってしわをつけ、これをしわ取り評価のモデルじわとした。
【００５３】
これらモデルじわのついた試験布に対し、試験布乾燥時重量に対して５０重量％のしわ除去組成物をスプレー容器（キャニヨン製、Ｔ−７５００）で噴霧した後、２５℃／５０％ＲＨの恒温室に１２時間放置し、自然乾燥させた。乾燥終了後、試験布のしわの取れ具合を判定した。
【００５４】
判定はしわ除去組成物をスプレー処理した布と、処理前の布（対照）とを、５名のパネラーに以下の基準で採点してもらい、その平均値を求めて評価点とした。
・しわ判定基準
５：全くしわがない
４：ほとんどしわがない
３：僅かにしわが残っている
２：相当しわが残っている
１：著しくしわが残っている。
【００５５】
【表１】
2006104648.tif 000006